(57)【特許請求の範囲】
【請求項１】
ガラス板と、このガラス板の屋内側の面に沿うパネル建材と、前記パネル建材及び前記ガラス板の周縁側に固定された枠体とを備えた窓サッシであって、
前記パネル建材は、透光性を有する板状部材に、所定のピッチで配置された多数の通気孔と、これら多数の通気孔に隣接し前記通気孔を有さない無孔領域とを設けるとともに、前記無孔領域を前記通気孔のピッチよりも長く連続させており、
前記無孔領域には、全部の前記通気孔の周囲で前記板状部材の周縁に沿って環状に連続する第１の無孔領域が含まれ、
前記枠体は、前記ガラス板の周縁側に嵌り合う嵌合溝と、前記パネル建材の前記第１の無孔領域に嵌り合う凹溝とを、前記ガラス板及び前記パネル建材の厚み方向へ間隔を置いて配設することで、前記ガラス板と前記パネル建材の間に隙間を確保し、
前記パネル建材の周縁側は、その表面側と裏面側にそれぞれパッキンを介在して前記凹溝に嵌め合わせられることで、前記凹溝の内側面に対し隙間を置いて離隔していることを特徴とする窓サッシ。
【請求項２】
前記パネル建材の上端部は、前記枠体の凹溝内の上底面に対し隙間を置いて離隔していることを特徴とする請求項１記載の窓サッシ。
【請求項３】
前記無孔領域には、前記第１の無孔領域の環内側に位置する第２の無孔領域が含まれ、
前記第２の無孔領域は、前記通気孔のピッチよりも大きい幅で、前記板状部材の周縁寄りで無端環状に連続する部分を有し、
前記通気孔は、円形孔であり、前記第２の無孔領域における前記無端環状の部分の周囲にて、前記枠体の内縁に沿う全周にわたって一定間隔で多数配設されていることを特徴とする請求項１又は２記載の窓サッシ。
【請求項４】
多数の前記通気孔が千鳥状に並ぶように一定間隔で配設されていることを特徴とする請求項１〜３何れか１項記載の窓サッシ。
【発明の詳細な説明】
【技術分野】
【０００１】
本発明は、パネル建材を具備した窓サッシに関するものである。
【背景技術】
【０００２】
従来、窓サッシ等の建具は、矩形状の枠体内に、ガラス板を固定したものが一般的であり、光透過性を確保した上で、雨風等の浸入を阻むという作用効果を奏する（特許文献１参照）。
【先行技術文献】
【特許文献】
【０００３】
【特許文献１】特開２００３−２７８４５２号公報
【発明の概要】
【発明が解決しようとする課題】
【０００４】
ところで、この種の従来の建具では、特に幼稚園や保育園等に設置された場合に、幼児等がガラス板に手や物をぶつけて、ガラス板が外れたり破損したり等するおそれがある。
そこで、光透過性を確保でき且つ容易に破損することのないパネル建材及び建具が求められる。
【課題を解決するための手段】
【０００５】
このような課題に鑑みて、本発明は、以下の構成を具備するものである。
ガラス板と、このガラス板の屋内側の面に沿うパネル建材と、前記パネル建材及び前記ガラス板の周縁側に固定された枠体とを備えた窓サッシであって、前記パネル建材は、透光性を有する板状部材に、所定のピッチで配置された多数の通気孔と、これら多数の通気孔に隣接し前記通気孔を有さない無孔領域とを設けるとともに、前記無孔領域を前記通気孔のピッチよりも長く連続させており、前記無孔領域には、全部の前記通気孔の周囲で前記板状部材の周縁に沿って環状に連続する第１の無孔領域が含まれ、前記枠体は、前記ガラス板の周縁側に嵌り合う嵌合溝と、前記パネル建材の前記第１の無孔領域に嵌り合う凹溝とを、前記ガラス板及び前記パネル建材の厚み方向へ間隔を置いて配設することで、前記ガラス板と前記パネル建材の間に隙間を確保し、前記パネル建材の周縁側は、その表面側と裏面側にそれぞれパッキンを介在して前記凹溝に嵌め合わせられることで、前記凹溝の内側面に対し隙間を置いて離隔していることを特徴とする窓サッシ。
【図面の簡単な説明】
【０００６】
【図１】本発明に係るパネル建材の一例を示す平面図である。
【図２】同パネル建材の要部拡大図である。
【図３】同パネル建材を具備した建具の一例を示す平面図であり、一部を切欠して背面側のガラス板を表示している。
【図４】同パネル建材の要部縦断面図である。
【図５】本発明に係るパネル建材の他例を示す平面図である。
【発明を実施するための形態】
【０００７】
以下、図面を参照しながら本発明の実施形態を説明する。以下、異なる図における同一符号は略同一の構成を示しており、重複する説明は適宜省略する。
【０００８】
パネル建材Ａは、図１に示すように、透光性を有する板状部材１０に、所定のピッチで配置された多数の通気孔１１と、これら多数の通気孔１１に隣接するとともに前記通気孔１１を有さない無孔領域１２，１３とを有する。
【０００９】
板状部材１０は、透光性を有する硬質合成樹脂材料から矩形状（図１に示す一例によれば略正方形状）に形成される。前記硬質合成樹脂材料は、本実施の形態の好ましい一例によれば、無色透明又は有色透明のポリカーボネート材である。
この板状部材１０の厚みは、幼児等が手を掛けた際に容易に撓むことのないように適宜に設定されている。
【００１０】
多数の通気孔１１は、無孔領域１２が図形を形成するように、適宜に配置されている。各通気孔１１は、板状部材１０を貫通する小径（例えば、直径約５ｍｍ）の貫通孔である。この通気孔１１の貫通方向の両端縁は、それぞれ面取り加工によりバリが除去されている。
【００１１】
図１〜図２に示す好ましい一例によれば、多数の通気孔１１は、パネル建材Ａの無孔領域１２，１３以外の部分において、千鳥状に並ぶように一定間隔で配設される。
詳細に説明すれば、横方向一列の複数の通気孔１１は、左右に隣接する通気孔１１，１１の中心線間のピッチＰｘを、例えば、約８ｍｍの範囲内に設定している。
また、縦方向一列の複数の通気孔１１は、上下に隣接する通気孔１１，１１の中心線間のピッチＰｙを、前記Ｐｘと略同等に設定している。
【００１２】
そして、前記横方向一例の通気孔１１に対し、その上方側又は下方側に隣接する横方向一列の通気孔１１は、横方向へ半ピッチ（Ｐｘ／２）ずれて配設されている（図２参照）。したがって、図示例によれば、上側の一つの通気孔１１に対し、その下側に隣接する一つの通気孔１１が、下方斜め４５度の方向に配置される。
この構成によれば、通気孔１１が千鳥状に配置されるため、仮に通気孔１１を同ピッチで碁盤目状に配設した場合と比較し、パネル建材Ａの強度を増大することができる。
【００１３】
パネル建材Ａを構成する中央寄りの無孔領域１２と、外周寄りの無孔領域１３は、それぞれ、板状部材１０からなり通気孔１１を有さない部分である。この無孔領域１２は、通気孔１１のピッチＰｘ，Ｐｙよりも長く連続している。
【００１４】
無孔領域１２は、全通気孔１１を有する矩形状の領域の内側に位置し、通気孔１１を有さない板状部材１０の連続部分により、所定の図柄を形成している。例えば、図１によれば、無孔領域１２が、動物のイラストを形成している。
この無孔領域１２（イラスト）の輪郭部分１２ａは、前記板状部材の周縁寄りに無端環状（図示例によれば、円環状）に連続しており、パネル建材Ａ全体の強度保持に寄与している。
なお、前記図柄の他例としては、図示例以外の動物のイラストや、人のイラスト、キャラクター、文字、図形、模様等とすることが可能である。
【００１５】
無孔領域１３は、全通気孔１１を有する矩形状の領域の外側に位置し、板状部材１０の周縁に沿う無端矩形枠状に連続しており、パネル建材Ａ全体の強度保持に寄与している。
この無孔領域１３は、パネル建材Ａが後述する建具Ｂを構成する際に、枠体２０内に嵌め合せられる嵌合代として用いられる。
【００１６】
次に、上記構成のパネル建材Ａを具備した建具Ｂについて説明する（図３及び図４参照）。
建具Ｂは、枠体２０と、該枠体２０内に固定されているガラス板３０と、上述したパネル建材１０とを備える。
【００１７】
枠体２０は、上框２１、下框２２、左右の縦框２３，２４等を、矩形枠状に固定したものである。
これら枠体２０の内側における屋内寄りには、パネル建材Ａの縁部分（図示例によれば無孔領域１３）を嵌合する凹溝２１ａ，２２ａ，２３ａ，２４ａが、各框の長手方向へ連続して設けられる。
【００１８】
また、枠体２０の内側における屋外寄りには、各框の長手方向へ連続して、嵌合溝２１ｃ，２２ｃが設けられる（図４参照）。嵌合溝２１ｃ，２２ｃには、ガラス板３０の端部側が挿入され、さらに、この端部側を気密に押さえて固定するように、パッキン２５が挿入されている。
なお、ガラス板３０を固定する構造は、図示例以外のものとすることも可能である。
【００１９】
図４中、符号２１ｂは、図示しないサッシ枠の上縁に嵌り合うガイド溝２１ｂである。他例としては、このガイド溝２１ｂを凸部に置換し、サッシ枠側に該凸部に嵌り合う凹部を設けるようにしてもよい。
図４中、符号２２ｂは、図示しないレールに沿って転動する車輪である。
【００２０】
そして、上記構成の建具Ｂは、パネル建材Ａを屋内側へ向けて建物の開口部に設置されたサッシ枠等として用いられる。
【００２１】
上記構成のパネル建材Ａ及び建具Ｂによれば、通常の使用状態においては、無孔領域１２による図柄を視覚的に楽しむことができる。
さらに、パネル建材Ａを透明材料によって形成しているため、屋外の太陽光を屋内に取り込める上、透明なパネル建材Ａを介して内外の物や人等を視認することができる。
また、幼児や物等が、屋内側から建具Ｂに衝突した場合には、その際の衝撃を、比較的高強度なパネル建材Ａによって受けることができ、ガラス板３０の破損を防ぐことができる。ひいては、ガラス板３０が破損して、幼児が怪我をしたり、ガラス片が落下したりするようなことを防ぐことができる。
【００２２】
なお、上記実施の形態によれば、パネル建材Ａの外形を略正方形状としたが、他例としては、図４に示すパネル建材Ａ’のように、外径を横長矩形状にした態様や、外径を矩形以外の形状にした態様とすることも可能である。
図４に示すパネル建材Ａ’は、透光性を有する横長矩形状の板状部材１０’に、上述した多数の通気孔１１及び無孔領域１２，１３を有し、上記パネル建材Ａと略同等の作用効果を奏する。
【００２３】
また、上記実施の形態によれば、特に高強度な構成として、パネル建材Ａの周縁側に多数の通気孔１１を囲むようにして無孔領域１３を設けたが、他例としては、この無孔領域１３を省くことも可能である。
【００２４】
また、上記実施の形態によれば、特に透視性の良好な態様として、パネル建材Ａを透明材料により形成したが、他例としては、すりガラス状の樹脂板や、乳白色の樹脂板など、透光性を有する板材とすることも可能である。
【００２５】
また、上記実施の形態によれば、特に好ましい態様として、複数の通気孔１１を角度４５°の千鳥配置としたが、他例としては、角度６０°の千鳥配置や、その他の角度の千鳥配置とすることも可能である。さらに、他例としては、複数の通気孔１１を碁盤目状に配置にした態様とすることも可能である。
【００２６】
また、上記実施の形態によれば、パネル建材Ａを枠体２０内の凹溝２１ａ，２２ａに嵌合する構造としたが、他例としては、パネル建材Ａを枠体２０の屋内側の面に固定した構造とすることも可能である。この場合の固定手段は、例えば、適宜形状のブラケットを介してパネル建材Ａを枠体２０に固定した態様や、パネル建材Ａを枠体２０の屋内側の面に対し直接ネジ止めした態様等とすればよい。
【００２７】
また、上記実施の形態によれば、パネル建材Ａを枠体２０に対し着脱不能に固定したが、他例としては、パネル建材Ａの図柄の変更や交換等を容易にするために、パネル建材Ａを枠体２０に対し、ネジ止めや嵌合等によって着脱可能に固定した態様とすることも可能である。
【００２８】
また、上記実施の形態によれば、パネル建材Ａの好ましい使用態様としてガラス板３０を有する建具Ｂを構成したが、他例としては、上記建具Ｂにおいてガラス板３０を網に置換した態様とすることも可能である。この態様では、パネル建材Ａの多数の通気孔１１及び前記網によって屋内外の通気性を確保することができる。
さらに他例としては、パネル建材Ａをベランダやバルコニーの柵として用いた態様等とすることも可能である。
【００２９】
また、図示例の建具Ｂは、引戸又は引戸式窓サッシを構成しているが、建具Ｂの他例としては、開戸や開戸式窓サッシ、はめごろし窓、上下にスライドするサッシ、その他の戸やドア、窓等を構成することが可能である。
【００３０】
また、本発明は上述した実施の形態に限定されず、本発明の要旨を変更しない範囲で適宜変更可能である。
【符号の説明】
【００３１】
１０：板状部材
１１：通気孔
１２：無孔領域（図柄、第２の無孔領域）
１３：無孔領域（第１の無孔領域）
２０：枠体
３０：ガラス板
Ａ：パネル建材
Ｂ：建具
Ｐｘ，Ｐｙ：ピッチ
【図１】
0006782078.tif 000002
【図２】
0006782078.tif 000003
【図３】
0006782078.tif 000004
【図４】
0006782078.tif 000005
【図５】
0006782078.tif 000006